(57)【要約】【課題】カバー体を包装袋の下端縁部に近接する部分まで押し込むことを可能にして、カバー体によって底部を補強したり、自立性を向上させることが可能な商品包装体を提供する。【解決手段】包装袋１１は、底面シート部１６を二つ折りにして正面シート部１４と背面シート部１５との間に折り込んだ状態で、底面シート部１６の両側の側縁部１６ａを正面シート部１４及び背面シート部１５の両側の側縁部１４ａ，１５ａとシール接合することで、断面Ｗ字形状の底部１１ａが形成される。筒状カバー体１２の下部における径方向に対向する位置に、筒状カバー体の下端縁部１２ｂから上方に向けて切り込まれた一対の下部切込み１２ａが形成されている。筒状カバー体１２は、底面シート部１６の両側の側縁部１６ａの近傍部分を、下部切込み１２ａに挿入した状態で、下端縁部１２ｂを、包装袋１１の下端縁部１１ｂに近接させて、包装袋１１の内部に配設される。【選択図】図３
2014125213.tif 000002
【特許請求の範囲】
【請求項１】
正面シート部と背面シート部と底面シート部とを含み、正面シート部の両側の側縁部と背面シート部の両側の側縁部との間に底面シート部の両側の側縁部を各々挟み込んでこれらを一体として接合することにより形成された包装袋の内部に、商品が装着された筒状カバー体を収容することで、自立可能な立体形状に形成される商品包装体であって、
前記包装袋は、前記底面シート部を二つ折りにして前記正面シート部と前記背面シート部との間に折り込んだ状態で、前記底面シート部の両側の側縁部を前記正面シート部及び前記背面シート部の両側の側縁部とシール接合することで、これらのシート部によって断面Ｗ字形状の底部が形成されるようになっており、
前記筒状カバー体の下部における径方向に対向する位置に、前記筒状カバー体の下端縁部から上方に向けて切り込まれた一対の下部切込みが形成されており、
前記筒状カバー体は、前記正面シート部及び前記背面シート部とシール接合された前記底面シート部の両側の側縁部の近傍部分を、前記下部切込みに挿入した状態で、当該筒状カバー体の下端縁部を、前記正面シート部及び前記背面シート部の下端縁部に近接させて、前記包装袋の内部に配設されている商品包装体。
【請求項２】
前記筒状カバー体は、円筒形状又は略円筒形状に形成されている請求項１記載の商品包装体。
【請求項３】
前記筒状カバー体は、紙製又はプラスチック製のシート部材を、筒状に丸めることによって形成されている請求項１又は２記載の商品包装体。
【請求項４】
前記筒状カバー体の底面の開口部を横断して、帯状の底部が設けられている請求項１〜３のいずれか１項記載の商品包装体。
【請求項５】
前記正面シート部及び前記背面シート部の下端縁部と、折り込まれた前記底面シート部の両側の下端縁部とがシール接合されていることで、前記包装袋の底部に環状の補強脚部が形成されている請求項１〜４のいずれか１項記載の商品包装体。
【発明の詳細な説明】
【技術分野】
【０００１】
本発明は、商品包装体に関し、特に、正面シート部と背面シート部と底面シート部とを含む包装袋の内部に、商品が装着された筒状カバー体を収容することで立体形状に形成される商品包装体に関する。
【背景技術】
【０００２】
例えば各種の日用品等の商品を収容して陳列できるようにする商品包装体として、合成樹脂製のフィルム材料からなる簡易な包装袋の内部に、商品を包み込むようにして収容したものが多用されている。このような商品包装体では、包装袋は、一般にフィルム材料からなる正面シート部と背面シート部とを含んで構成されており、これらの周縁部分を、ヒートシール等によって接合することで、商品を収容する袋状の収容部が形成されるようになっている。
【０００３】
また、フィルム材料からなる簡易な包装袋に例えば立体形状のかさばる商品を収容する場合には、商品の形状に倣った立体形状の空間が、正面シート部と背面シート部との間の収容部に容易に形成されるようにするために、正面シート部と背面シート部との間に、底面シート部を二つ折りにした状態で挟み込んで接合することで、底面部を押し広げるようにして立体形状の空間が容易に形成されるようにすると共に、押し広げられた底面部によって自立性が得られるようにした包装袋が知られている（例えば、特許文献１参照）。
【０００４】
一方、フィルム材料からなる正面シート部と背面シート部と底面シート部とを含む、簡易な包装袋の内部に商品を収容する場合には、フィルム材料は可撓性を有する柔らかい材質のものであることから、変形し易く、且つ外部からの荷重や衝撃が収容された商品に直接伝わり易いため、商品によっては、包装袋の内部で位置ずれしたり変形したりする場合がある。また、特に収容される商品が、十分な保形性を備えていない押し潰され易いものであったり、収容部の大きさに比べて小さなものであったりすると、包装袋の底面部を商品によって押し広げた状態に保持することが困難になって、自立性が損われることになると共に、包装袋自体も押し潰されて外観を損うことになる。
【０００５】
このため、例えば保形性を備えるカバー体に商品を装着して、正面シート部と背面シート部と底面シート部とを含むフィルム材料からなる簡易な包装袋の内部に、カバー体と共に商品を収容することにより、特に包装袋の底部において、カバー体を介在させることで外部からの荷重や衝撃が商品に直接伝わり難くしたり、カバー体の保形性によって包装袋の底面部を押し広げた状態に容易に保持できるようにすることが考えられている。
【先行技術文献】
【特許文献】
【０００６】
【特許文献１】特開平８−７２８９５号公報
【発明の概要】
【発明が解決しようとする課題】
【０００７】
しかしながら、正面シート部と背面シート部と底面シート部とを含み、正面シート部の両側の側縁部と背面シート部の両側の側縁部との間に底面シート部の両側の側縁部を各々挟みこんで、これらを一体として接合することによって形成された、フィルム材料からなる簡易な包装袋の内部に、商品を保形性を備えるカバー体と共に収容する場合、カバー体の形状が適切でないと、包装袋とカバー体との間に多くの隙間が生じて美観が損われ、またカバー体を包装袋の下端縁部に近接する部分まで十分に押し込むことができなくなって、カバー体によって包装袋の底部を補強したり、自立性を向上させたりすることが困難になる。
【０００８】
本発明は、包装袋とカバー体との間に多くの隙間を生じることなく、商品をカバー体と共に包装袋の内部に収容することができると共に、カバー体を包装袋の下端縁部に近接する部分まで十分に押し込むことを可能にして、カバー体によって包装袋の底部を効果的に補強したり、自立性を効果的に向上させたりすることのできる商品包装体を提供することを目的とする。
【課題を解決するための手段】
【０００９】
本発明は、正面シート部と背面シート部と底面シート部とを含み、正面シート部の両側の側縁部と背面シート部の両側の側縁部との間に底面シート部の両側の側縁部を各々挟み込んでこれらを一体として接合することによって形成された包装袋の内部に、商品が装着された筒状カバー体を収容することで、自立可能な立体形状に形成される商品包装体であって、前記包装袋は、前記底面シート部を二つ折りにして前記正面シート部と前記背面シート部との間に折り込んだ状態で、前記底面シート部の両側の側縁部を前記正面シート部及び前記背面シート部の両側の側縁部とシール接合することで、これらのシート部によって断面Ｗ字形状の底部が形成されるようになっており、前記筒状カバー体の下部における径方向に対向する位置に、前記筒状カバー体の下端縁部から上方に向けて切り込まれた一対の下部切込みが形成されており、前記筒状カバー体は、前記正面シート部及び前記背面シート部とシール接合された前記底面シート部の両側の側縁部の近傍部分を、前記下部切込みに挿入した状態で、当該筒状カバー体の下端縁部を、前記正面シート部及び前記背面シート部の下端縁部に近接させて、前記包装袋の内部に配設されている商品包装体を提供することにより、上記目的を達成したものである。
【発明の効果】
【００１０】
本発明の商品包装体によれば、包装袋とカバー体との間に多くの隙間を生じることなく、商品をカバー体と共に包装袋の内部に収容することができると共に、カバー体を包装袋の下端縁部に近接する部分まで十分に押し込むことを可能にして、カバー体によって包装袋の底部を効果的に補強したり、自立性を効果的に向上させることができる。
【図面の簡単な説明】
【００１１】
【図１】本発明の好ましい一実施形態に係る商品包装体の正面側の斜視図である。
【図２】本発明の好ましい一実施形態に係る商品包装体の背面側の分解斜視図である。
【図３】本発明の好ましい一実施形態に係る商品包装体の背面側を斜め下方から視た底部斜視図である。
【図４】フィルム材料を用いて形成される包装袋の説明図である。
【図５】（ａ）は、筒状カバー体を形成するためのシート部材の正面図、（ｂ）は、筒状カバー体と組み合わせて用いる固定台紙の正面図である。
【図６】シート部材を丸めて筒状カバー体を形成する情況の説明図である。
【図７】筒状カバー体と共に包装袋に収容される商品の組立て後の状態を説明する斜視図である。
【発明を実施するための形態】
【００１２】
図１及び図２に示す本発明の好ましい一実施形態に係る商品包装体１０は、シート材料として、例えば透明な合成樹脂製のフィルム材料からなる簡易な包装袋１１の内部に、商品１３として、例えば清掃具５０（図７参照）を構成する、清掃ヘッド５１と、柄部５２と、基材５３ａの周囲に多数の糸状体５３ｂを植設して形成された柔軟な清掃モップ５３とを、分解した状態で筒状カバー体１２に装着して、筒状カバー体１２と共に収容することによって製造される。本実施形態の商品包装体１０は、商品１３である清掃具５０を筒状カバー体１２に装着して、包装袋１１の内部に収容することで、包装袋１１の下半部分において、筒状カバー体１２の保形性によって包装袋１１が略円筒形状に膨らんでいる状態を保持して、美観を向上させると共に、筒状カバー体１２によって包装袋１１の底部１１ａを補強し、また包装体１０の自立性を向上させることができるようになっている。
【００１３】
そして、本実施形態の商品包装体１０は、図３〜図５にも示すように、正面シート部１４と背面シート部１５と底面シート部１６とを含み、正面シート部１４の両側の側縁部１４ａと背面シート部１５の両側の側縁部１５ａとの間に底面シート部１６の両側の側縁部１６ａを各々挟み込んでこれらを一体として接合することによって形成された包装袋１１の内部に、商品１３が装着された筒状カバー体１２を収容することで、自立可能な立体形状に形成される包装体であって、包装袋１１は、底面シート部１６を二つ折りにして正面シート部１４と背面シート部１５との間に折り込んだ状態で（図４（ａ）参照）、底面シート部１６の両側の側縁部１６ａを正面シート部１４及び背面シート部１５の両側の側縁部１４ａ，１５ａとシール接合することで、これらのシート部１４，１５，１６によって、商品１３が収容される前の状態で断面Ｗ字形状の底部１１ａが形成されるようになっており（図４（ｂ）参照）、筒状カバー体１２の下部における径方向に対向する位置に、筒状カバー体の下端縁部１２ｂから上方に向けて切り込まれた一対の下部切込み１２ａが形成されている（図２、図３参照）。筒状カバー体１２は、包装袋１１の正面シート部１４及び背面シート部１５とシール接合された底面シート部１６の両側の側縁部１６ａの近傍部分を、下部切込み１２ａに挿入した状態で（図３参照）、当該筒状カバー体１２の下端縁部１２ｂを、正面シート部１４及び背面シート部１５の下端縁部１４ｂ、１５ｂに近接させて、包装袋１１の内部に配設されている（図１、図３参照）。
【００１４】
また、本実施形態では、筒状カバー体１２は、略円筒形状に形成されており、図５（ａ）に示すような例えば紙製のシート部材１７を、筒状に丸めることによって形成されている（図６参照）。
【００１５】
本実施形態では、包装袋１１を構成する正面シート部１４や背面シート部１５や底面シート部１６は、例えばポリプロピレン樹脂、ポリエチレン樹脂といったポリオレフィン樹脂等からなる、好ましくは厚さが６０〜１００μｍ程度の透明な合成樹脂製のフィルム材料を用いて形成される。
【００１６】
本実施形態の包装袋１１を形成するには、図４（ａ）に示すように、縦２８０ｍｍ、横２４８ｍｍ程度の大きさの矩形形状のフィルム材料１８ａを、横方向に対向する辺部と平行な中央の２等分割線を介して折り返すことで、縦長矩形形状の正面シート部１４と背面シート部１５とを折り重ねる。しかる後に、別途に形成した縦横９２×１２４ｍｍ程度の大きさの矩形形状のフィルム材料１８ｂを、底マチとなる底面シート部１６として二つ折りにして、正面シート部１４と背面シート部１５との間に挟み込んだ状態で、折り重ねた正面シート部１４及び背面シート部１５の側縁部１４ａ，１５ａを、二つ折りにした底面シート部１６の側縁部１６ａと共に、７ｍｍ程度のシール幅でシール接合する。さらに、正面シート部１４及び背面シート部１５の下端縁部１４ｂ，１５ｂと、折り込まれた底面シート部１６の両側の下端縁部１６ｂとを、４ｍｍ程度のシール幅でシール接合することで、包装袋１１は、底面の開口が底面シート部１６によって閉塞されると共に、上端の開口が商品１３を収容可能に開放された状態で形成される。
【００１７】
これによって、包装袋１１の底部１１ａは、商品１３が収容される前の状態で、図４（ｂ）に示すように、正面シート部１４及び背面シート部１５と、こられの間に挟まれた、倒立した断面Ｖ字形状となるように折り返された底面シート部１６とによって、断面Ｗ字形状を備えるように形成されることになる。
【００１８】
包装袋１１は、上述の方法によって、断面Ｗ字形状の底部１１ａを備えるように形成される必要は必ずしも無く、例えば、正面シート部１４と底面シート部１６と背面シート部１５とを、これらの順番で縦長の帯状に連続するように一枚のフィルム材料を用いて形成し、正面シート部１４と底面シート部１６との境界線や、底面シート部１６の中央の２等分割線や、底面シート部１６と背面シート部１５との境界線を折返し線として折り返した状態で、これらの側縁部１４ａ，１５ａ，１６ａを一体としてシール接合することによって、底部１１ａが断面Ｗ字形状を備えるように形成することもできる。また包装袋１１は、正面シート部１４と背面シート部１５と底面シート部１６とを別々に形成した、３枚のフィルム材料を用いて形成することもできる。
【００１９】
本実施形態では、筒状カバー体１２は、図５（ａ）に示すような、一枚の紙製のシート部材１７であるブランクを用いて形成される。ブランク１７は、帯状の底部１９を有する略円筒形状に形成される筒状カバー体１２を展開した、所定の展開形状となるように、例えば薄板状の紙製のシート材料を打ち抜いて裁断することによって容易に得ることができる。ブランク１７は、側縁部を把持して片持ち状に水平に延設させた場合でも、折れ曲がることなく滑らかに湾曲した状態を容易に保持できる程度の保形剛性及び弾性を備えると共に、手の力で容易に折り曲げることができる程度の変形性を備える。
【００２０】
また、ブランク１７には、例えば罫線等からなる折曲線や、全切れ線等からなる切込みが、適宜の位置に設けられていることで、ブランク１７から筒状カバー体１２を、略円筒形状を保持した立体形状となるように容易に組み立てることができるようになっている。
【００２１】
本実施形態では、裁断された図５（ａ）に示すブランク１７は、横幅が２３０ｍｍ、縦幅が１２０ｍｍ程度の大きさの、上辺部に弧状の突部２０ｆが複数連設して設けられた略横長矩形の正面形状を備える周壁板部２０と、周壁板部２０の下辺部から下方に延設して設けられた、商品受け板部２１及び補助板部２２とを含んで形成されている。
【００２２】
また、本実施形態では、周壁板部２０の横方向中央部分には、筒状カバー体１２の下端縁部１２ｂとなる下辺部から上方に向けて切り込まれた、中央切込み２０ａが形成されている。中央切込み２０ａは、組み立てられた後の筒状カバー体１２の下端縁部１２ｂから上方に向けて切り込まれた、径方向に対向する一対の下部切込み１２ａうちの、一方となる（図３参照）。周壁板部２０の左側の側辺部には、中央切込み２０ａの上端の高さ位置よりも上方に、左側重ね代部２０ｂが側方に張り出して設けられている。周壁板部２０の左側重ね代部２０ｂよりも中央側の部分には、係着切込み２０ｃが、縦方向に延設して設けられている。周壁板部２０の右側の側辺部には、中央切込み２０ａの上端の高さ位置よりも上方に、右側重ね代部２０ｄが側方に張り出して設けられている。右側重ね代部２０ｄのさらに右側には、係着片２０ｅが側方に張り出すようにして設けられている。
【００２３】
筒状カバー体１２を略円筒形状に組み立てる際に、図６に示すように、周壁板部２０を丸めるようにして、右側重ね代部２０ｄを左側重ね代部２０ｂの上に重ね合わせると共に、係着片２０ｅを係着切込み２０ｃに係着することで、周壁板部２０は、略円筒形状を容易に保持することが可能になる（図３参照）。また、周壁板部２０の左側の側辺部の左側重ね代部２０ｂよりも下方部分と、右側の側辺部の右側重ね代部２０ｄよりも下方部分との間には、スリット状の隙間２０ｇが保持されることになる（図３参照）。このスリット状の隙間２０ｇは、組み立てられた後の筒状カバー体１２の下端縁部１２ｂから上方に向けて切り込まれた、径方向に対向する一対の下部切込み１２ａうちの、他方となる。
【００２４】
さらに、本実施形態では、包装袋１１に収容される商品が、清掃ヘッド５１と、柄部５２と、清掃モップ５３とからなる清掃具５０であることから（図２参照）、図５（ａ）に示すように、周壁板部２０の中央部分を挟んだ左右両側に、清掃ヘッド５１や柄部５２を筒状カバー体１２に係着させる係着ベルト部２０ｈ，２０ｉを形成するための（図１、図３、図６参照）、上下一対の左側横方向スリット２０ｊと、上下一対の右側横方向スリット２０ｋとが設けられている。
【００２５】
商品受け板部２１は、周壁板部２０の下辺部における、中央切込み２０ａを挟んだ右側領域の中央部分から、折曲線２３ａを介して周壁板部２０と連接すると共に、下方に延設して設けられた部分である。商品受け板部２１は、筒状カバー体１２の底面の開口部を横断して設けられる帯状の底部１９を形成する帯状板部２１ａと、帯状板部２１ａの両側縁部から折曲線２３ｂを介して側方に張り出して設けられた、略三角形状の挟込み板部２１ｂとからなる。帯状板部２１ａは、筒状カバー体１２を略円筒形状に形成した際の底面の開口部の直径と、同様の長さを有している。帯状板部２１ａの略中央部分には、補助板部２２の先端係着片２２ａを係着させるための中央係着切込み２１ｃが形成されている。帯状板部２１ａの先端部には、補助板部２２の基端係着切込み２２ｂに係着させるための先端係着凸部２１ｄが設けられている。
【００２６】
補助板部２２は、周壁板部２０の下辺部における、中央切込み２０ａを挟んだ左側領域の中央部分から、折曲線２３ｃを介して周壁板部２０と連接すると共に、下方に延設して設けられた帯状板の部分である。補助板部２２は、商品受け板部２１の帯状板部２１ａに下側から重ねて配置される。これによって、補助板部２２は、帯状板部２１ａによる帯状の底部１９が、筒状カバー体１２の底面の開口部を径方向に横断して筒状カバー体１２の対向する下端縁部の間に架設されている状態を、効果的に補強する。補助板部２２の先端部分には、先端係着片２２ａが設けられていると共に、補助板部２２の基端部分には、周壁板部２０の下辺部との折曲線２３ｃに沿ってこれの中央部分に形成された、基端係着切込み２２ｂが設けられている。
【００２７】
ブランク１７から筒状カバー体１２を略円筒形状に組み立てる際に、図６及び図３に示すように、商品受け板部２１の挟込み板部２１ｂを、帯状板部２１ａとの折曲線２３ｂを介して斜め上方に折り曲げた状態で、帯状板部２１ａを、周壁板部２０との折曲線２３ａを介して内側に略垂直に折り曲げる。また、補助板部２２を、周壁板部２０との折曲線２３ｃを介して、帯状板部２１ａの下側から内側に略垂直に折り曲げる（図６参照）。そして、周壁板部２０を円筒形状に丸めた後に、商品受け板部２１の帯状板部２１ａの先端係着凸部２１ｄを、補助板部２２の基端係着切込み２２ｂに係着させると共に、補助板部２２の先端係着片２２ａを、帯状板部２１ａの中央係着切込み２１ｃに係着させることで、帯状の底部１９が、筒状カバー体１２の底面の開口部を径方向に横断して、安定した状態で設けられる（図３参照）。これによって、筒状カバー体１２に装着される清掃モップ５３の下端部分を、商品受け板部２１の一対の挟込み板部２１ｂの間に挟み込んだ状態で、清掃モップ５３を筒状カバー体１２に容易に保持することが可能になる。
【００２８】
さらにまた、本実施形態では、筒状カバー体１２を形成するシート部材１７であるブランクとは別途に、図５（ｂ）に示すように、商品固定台紙２４を備えている。商品固定台紙２４は、矩形形状の台紙本体部２４ａと、台紙本体部２４ａの上辺中央部分から上方に延設して設けられた、円弧状の先端部を有する挿入案内部２４ｂとからなり、台紙本体部２４ａの両側の下部角部は、斜め折曲線２４ｃを介して折返し可能となっている。商品固定台紙２４は、図２に示すように、清掃モップ５３を構成する、表裏一対の不織布からなる袋状の基材５３ａに、下側から挿入配置されて用いられる。清掃モップ５３は、商品固定台紙２４を基材５３ａの下端部分に挿入配置した状態で、商品固定台紙２４と共に筒状カバー体１２に装着されることで、清掃モップ５３の特に下半部分を、より安定した状態で筒状カバー体１２に保持させることが可能になる。
【００２９】
筒状カバー体１２に装着されて包装袋１１の内部に収容される商品である清掃具５０は、図７に示すように、清掃ヘッド５１と柄部５２と清掃モップ５３とからなる、ハンディタイプの掃除具である。清掃モップ５３は、上述のように、例えば表裏一対の不織布からなる袋状の基材５３ａの周囲に多数の糸状体５３ｂを植設して形成された、略円筒形状の柔軟なモップとなっており、清掃ヘッド５１を袋状の基材５３ａの内部に挿入した状態で、清掃ヘッド５１に着脱交換可能に装着して用いられる。清掃ヘッド５１は、長手方向にしなり易い形状を備えている。清掃具５０は、伸縮可能な柄部５２を手で把持して、清掃モップ５３が装着された清掃ヘッド５１を適宜しならせながら、床面等の被清掃面に接触させたり押し付けたりすることで、被清掃面に付着したごみ、ほこり、汚れ等を、清掃モップ５３によって効果的に捕集できるようになっている。
【００３０】
本実施形態では、図２に示すように、清掃ヘッド５１と柄部５２と清掃モップ５３とに分解した清掃具５０を、筒状カバー体１２に装着した状態で、包装袋１１に収容する。すなわち、清掃ヘッド５１を筒状カバー体１２の内側面に沿って上方から装着して、先端部分を背面側の係着ベルト部２０ｈに係着すると共に、柄部５２を筒状カバー体１２の内側面に沿って上方から装着して、先端部分を正面側の係着ベルト部２０ｉに係着し、さらに清掃モップ５３を、基材５３ａの下端部分に商品固定台紙２４を挿入配置した状態で、筒状カバー体１２の内側に上方から装着して、帯状の底部１９に支持させる。このようにして筒状カバー体１２に一体として装着された清掃具５０を、筒状カバー体１２と共に包装袋１１の内部に上端の開口から収容した後に、上端の開口を例えばシール接合によって封止することで、図１に示すような、本実施形態の商品包装体１０が形成される。
【００３１】
そして、上述の構成を備える本実施形態の商品包装体１０によれば、包装袋１１と筒状カバー体１２との間に多くの隙間を生じることなく、商品である清掃具５０を筒状カバー体１２と共に包装袋１１の内部に収容して、美観を向上させることができると共に、筒状カバー体１２を包装袋１１の下端縁部１１ｂ（正面シート部１４、背面シート部１５、及び底面シート部１６の下端縁部１４ｂ，１５ｂ，１６ｂ）に近接する部分まで十分に押し込むことを可能にして、筒状カバー体１２によって包装袋１１の底部１１ａを効果的に補強したり、自立性を効果的に向上させることが可能になる。
【００３２】
すなわち、本実施形態によれば、包装袋１１は、商品を収容して立体形状となった際に、円形断面となるように変形することで、収容部の中空断面積が最も大きくなる一方で、筒状カバー体１２は、好ましくは略円筒形状を有していることにより、円形断面となるように変形した包装袋１１の内周面に沿った外周面形状を備えることができる。これによって、例えば筒状カバー体１２の外径を、円形断面となるように変形した包装袋１１の内径と略同様の大きさとなるように調整することで、清掃具５０を装着した筒状カバー体１２は、包装袋１１の内部で多くの隙間を生じさせることなく、ぴったりと納められた状態で包装袋１１の内部に収容されるので、商品包装体１０の美観を効果的に向上させることが可能になる。
【００３３】
また、本実施形態では、図２に示すように、包装袋１１における、正面シート部１４の側縁部１４ａ及び背面シート部１５の側縁部１４ａと共にシール接合された、底面シート部１６の両側の側縁部１６ａの近傍部分は、包装袋１１の内部に筒状カバー体１２が収容される際に、シール接合された側縁部１６ａによって、これらの間の中間部分のように、断面Ｖ字形状に折り込まれた状態を開放しながら下方に変形移動してゆくのを阻害されることになる。本実施形態によれば、筒状カバー体１２の下部における径方向に対向する位置に、筒状カバー体の下端縁部１２ｂから上方に向けて切り込まれた一対の下部切込み１２ａが形成されているので、底面シート部１６の両側の側縁部１６ａの近傍部分を、これらの下部切込み１２ａに挿入した状態で、筒状カバー体１２の下端縁部１２ｂが、正面シート部１４及び背面シート部１５の下端縁部１４ｂ、１５ｂに近接するまで、清掃具５０を装着した筒状カバー体１２を、包装袋１１の内部に押し込むことが可能になる（図３参照）。これによって、包装袋１１の底部１１ａを筒状カバー体１２によって効果的に補強することが可能なると共に、商品包装体１０の自立性を効果的に向上させることが可能になる。
【００３４】
さらに、本実施形態によれば、包装袋１１の正面シート部１４及び背面シート部の下端縁部１４ｂ，１５ｂと、折り込まれた底面シート部１６の両側の下端縁部１６ｂとがシール接合されていることで、包装袋１１の底部１１ａに環状の補強脚部２５が形成されることになるので、この補強脚部２５によって、商品包装体１０の自立性を効果的に向上させることが可能になる。
【００３５】
なお、本発明は上記実施形態に限定されることなく種々の変更が可能である。例えば、筒状カバー体は、円筒形状又は略円筒形状に形成されている必要は必ずしも無く、多角形断面形状等の、円形断面となるように変形した包装袋の内周面に沿った外周面形状を備える、その他の形状に形成されていても良い。筒状カバー体は、紙製又はプラスチック製のシート部材を、筒状に丸め込むことによって形成されている必要は必ずしも無く、予め筒状となるように立体成形されたものであっても良い。また、筒状カバー体の底面開口部を横断して帯状底部を設ける必要な必ずしも無く、包装袋の底部に環状の補強脚部を形成する必要は必ずしもない。筒状カバー体の下端縁部から上方に向けて切り込まれた一対の下部切込みは、上方に向けて三角形状あるいは上方が狭い台形状等に切り込まれたものであっても良い。筒状カバー体に装着されて包装袋に収容される商品は、清掃具以外の、その他の各種の日用品等であっても良い。
【符号の説明】
【００３６】
１０  商品包装体
１１  包装袋
１１ａ  底部
１１ｂ  下端縁部
１２  筒状カバー体
１２ａ  下部切込み
１３  商品
１４  正面シート部
１４ａ  側縁部
１４ｂ  下端縁部
１５  背面シート部
１５ａ  側縁部
１５ｂ  下端縁部
１６  底面シート部
１６ａ  側縁部
１６ｂ  下端縁部
１７  シート部材（ブランク）
１８ａ，１８ｂ  フィルム材料
１９  帯状の底部
２０  底上げ面部
２１  商品受け板部
２２  補助板部
２５  環状の補強脚部
５０  清掃具（商品）
５１  清掃ヘッド
５２  柄部
５３  清掃モップ
【図１】
2014125213.tif 000003
【図２】
2014125213.tif 000004
【図３】
2014125213.tif 000005
【図４】
2014125213.tif 000006
【図５】
2014125213.tif 000007
【図６】
2014125213.tif 000008
【図７】
2014125213.tif 000009